(57)【要約】【課題】回路構成を簡素化できるとともに計器用変圧器を設置する必要なく三相回路の電圧異常を検出することができる電圧異常検出装置および電圧保護継電装置を提供する。【解決手段】電圧異常検出装置１０は、Ｒ相、Ｓ相およびＴ相サージアブソーバ電流ＩSR，ＩSS，ＩSTを検出するためのＲ相、Ｓ相およびＴ相変流器３R，３S，３Tから出力されるＲ相、Ｓ相およびＴ相変流器出力電流ＩFR，ＩFS，ＩFTの電流値に基づいて過電圧および不足電圧を検出する過不足電圧検出回路１１と、Ｒ相、Ｓ相およびＴ相変流器出力電流ＩFR，ＩFS，ＩFTの電流値に基づいて欠相を検出する欠相検出回路１２と、Ｓ相変流器出力電流ＩFSが通されるリアクトルＬの両端の電圧ＶLとＴ相変流器出力電流ＩFTが通される抵抗Ｒの両端の電圧ＶRとの差電圧に基づいて逆相を検出する逆相検出回路１３とを具備する。【選択図】図１
2009198442.tif 000002
【特許請求の範囲】
【請求項１】
三相回路における電圧異常を検出するための電圧異常検出装置であって、電流要素のみに基づいて前記三相回路における電圧異常を検出する手段を具備することを特徴とする、電圧異常検出装置。
【請求項２】
前記電流要素が、
前記三相回路に設置されたサージアブソーバ（２）の第１乃至第３の相のコンデンサを接地する接地線にそれぞれ流れる第１乃至第３の相サージアブソーバ電流（ＩSR，ＩSS，ＩST）であるか、
前記三相回路を構成する第１乃至第３の相電力ケーブル（７R，７S，７T）の金属シースを接地する接地線にそれぞれ流れる第１乃至第３の相シース電流（ＩsR，ＩsS，ＩsT）である、
ことを特徴とする、請求項１記載の電圧異常検出装置。
【請求項３】
前記第１乃至第３の相サージアブソーバ電流または前記第１乃至第３の相シース電流をそれぞれ検出するための第１乃至第３の相変流器（３R，３S，３T）からそれぞれ出力される第１乃至第３の相変流器出力電流（ＩFR，ＩFS，ＩFT）が前記電圧異常検出装置（１０）に入力され、
前記電圧異常検出装置が、
前記第１乃至第３の相変流器出力電流の電流値に基づいて該三相回路における過電圧および不足電圧を検出する過不足電圧検出回路（１１）と、
前記第１乃至第３の相変流器出力電流の電流値に基づいて前記三相回路における欠相を検出する欠相検出回路（１２）と、
前記第２の相変流器出力電流が通されるリアクトル（Ｌ）の両端の電圧（ＶL）と前記第３の相変流器出力電流が通される抵抗（Ｒ）の両端の電圧（ＶR）との差電圧に基づいて前記三相回路における逆相を検出する逆相検出回路（１３）と、
を具備することを特徴とする、請求項２記載の電圧異常検出装置。
【請求項４】
前記電流要素が、
前記三相回路に設置されたサージアブソーバ（２）の第１および第２の相のコンデンサを接地する接地線にそれぞれ流れる第１および第２の相サージアブソーバ電流（ＩSS，ＩST）であるか、
前記三相回路を構成する第１および第２の相電力ケーブル（７S，７T）の金属シースを接地する接地線にそれぞれ流れる第１および第２の相シース電流（ＩsS，ＩsT）である、
ことを特徴とする、請求項１記載の電圧異常検出装置。
【請求項５】
前記第１および第２の相サージアブソーバ電流または前記第１および第２の相シース電流をそれぞれ検出するための第１および第２の相変流器（３S，３T）からそれぞれ出力される第１および第２の相変流器出力電流（ＩFS，ＩFT）が前記電圧異常検出装置（２０）に入力され、
前記電圧異常検出装置が、
前記第１および第２の相変流器出力電流の電流値に基づいて該三相回路における過電圧および不足電圧を検出する過不足電圧検出回路（２１）と、
前記第１および第２の相変流器出力電流の電流値に基づいて前記三相回路における欠相を検出する欠相検出回路（２２）と、
前記第１の相変流器出力電流が通されるリアクトル（Ｌ）の両端の電圧（ＶL）と前記第２の相変流器出力電流が通される抵抗（Ｒ）の両端の電圧（ＶR）との差電圧に基づいて前記三相回路における逆相を検出する逆相検出回路（２３）と、
を具備することを特徴とする、請求項４記載の電圧異常検出装置。
【請求項６】
前記過不足電圧検出回路（２１）が、
前記第１の相変流器出力電流に基づいて前記三相回路の前記第１の相における過電圧および不足電圧を検出する第１の相過不足電圧検出回路（２５S）と、
前記第２の相変流器出力電流に基づいて前記三相回路の前記第２の相における過電圧および不足電圧を検出する第２の相過不足電圧検出回路（２５T）と、
前記第１および第２の相変流器出力電流を加算する加算回路（２６）と、
該加算回路から入力される前記第１および第２の相変流器出力電流の和電流に基づいて前記三相回路の第３の相における過電圧および不足電圧を検出する第３の相過不足電圧検出回路（２５R）と、
を備えることを特徴とする、請求項５記載の電圧異常検出装置。
【請求項７】
前記欠相検出回路（２２）が、
前記第１の相変流器出力電流の電流値が正常時の第１の相変流器出力電流（ＩFS0）の電流値の所定倍の値±第１の欠相検出値裕度（α）の範囲内の値であると出力信号を出力する第１の電流値比較回路（２７1）と、
前記第１の相変流器出力電流の電流値が“０”±第２の欠相検出値裕度（β）の範囲内の値であると出力信号を出力する第２の電流値比較回路（２７2）と、
前記第２の相変流器出力電流の電流値が正常時の第２の相変流器出力電流（ＩFT0）の電流値の所定倍の値±前記第１の欠相検出値裕度の範囲内の値であると出力信号を出力する第３の電流値比較回路（２７3）と、
前記第２の相変流器出力電流の電流値が“０”±前記第２の欠相検出値裕度の範囲内の値であると出力信号を出力する第４の電流値比較回路（２７4）と、
前記第２および第３の電流値比較回路の両方から出力信号が出力されると前記三相回路の前記第１の相における欠相を検出する第１の欠相検出手段（２８2）と、
前記第２および第３の電流値比較回路の両方から出力信号が出力されると前記三相回路の前記第２の相における欠相を検出する第２の欠相検出手段（２８3）と、
前記第１および第３の電流値比較回路の両方から出力信号が出力されると前記三相回路の前記第３の相における欠相を検出する第２の欠相検出手段（２８1）と、
を備えることを特徴とする、請求項５または６記載の電圧異常検出装置。
【請求項８】
前記電流要素が、
前記三相回路に設置されたサージアブソーバ（２）の第１および第２の相のコンデンサを接地する接地線にそれぞれ流れる第１および第２の相サージアブソーバ電流（ＩSR，ＩSS）の和電流と、該第２の相サージアブソーバ電流（ＩSS）および該サージアブソーバの第３の相のコンデンサを接地する接地線に流れる第３の相サージアブソーバ電流（ＩST）の和電流とであるか、
前記三相回路を構成する第１および第２の相電力ケーブル（７R，７S）の金属シースを接地する接地線にそれぞれ流れる第１および第２の相シース電流（ＩsR，ＩsS）の和電流と、該第２のシース電流（ＩsS）および第３の相電力ケーブル（７T）の金属シースを接地する接地線に流れる第３の相シース電流（ＩsT）の和電流とである、
ことを特徴とする、請求項１記載の電圧異常検出装置。
【請求項９】
前記第１および第２の相サージアブソーバ電流の和電流または前記第１および第２の相シース電流の和電流を検出するための第１の変流器（３1）から出力される第１の変流器出力電流（ＩF1）と、前記第２および第３の相サージアブソーバ電流の和電流または前記第２および第３の相シース電流の和電流を検出するための第２の変流器（３2）から出力される第２の変流器出力電流（ＩF2）とが、前記電圧異常検出装置（３０）に入力され、
前記電圧異常検出装置が、
前記第１および第２の変流器出力電流の電流値に基づいて該三相回路における過電圧および不足電圧を検出する過不足電圧検出回路（３１）と、
前記第１および第２の変流器出力電流の電流値に基づいて前記三相回路における欠相を検出する欠相検出回路（３２）と、
前記第１の変流器出力電流が通されるリアクトル（Ｌ）の両端の電圧（ＶL）と前記第２の変流器出力電流が通される抵抗（Ｒ）の両端の電圧（ＶR）との差電圧に基づいて前記三相回路における逆相を検出する逆相検出回路（３３）と、
を具備することを特徴とする、請求項８記載の電圧異常検出装置。
【請求項１０】
前記過不足電圧検出回路（３１）が、
前記第１の変流器出力電流に基づいて前記三相回路の前記第１の相における過電圧および不足電圧を検出する第１の相過不足電圧検出回路（３５R）と、
前記第１および第２の変流器出力電流を加算する加算回路（３６）と、
該加算回路から入力される前記第１および第２の変流器出力電流の和電流に基づいて前記三相回路の前記第２の相における過電圧および不足電圧を検出する第２の相過不足電圧検出回路（３５S）と、
前記第２の変流器出力電流に基づいて前記三相回路の前記第３の相における過電圧および不足電圧を検出する第３の相過不足電圧検出回路（３５T）と、
を備えることを特徴とする、請求項９記載の電圧異常検出装置。
【請求項１１】
前記欠相検出回路（３２）が、
前記第１の変流器出力電流の電流値が正常時の第１の変流器出力電流（ＩF10）の電流値の所定倍の値±第１の欠相検出値裕度（α）の範囲内の値であると出力信号を出力する第１の電流値比較回路（３７1）と、
前記第１の変流器出力電流の電流値が“０”±第２の欠相検出値裕度（β）の範囲内の値であると出力信号を出力する第２の電流値比較回路（３７2）と、
前記第２の変流器出力電流の電流値が正常時の第２の変流器出力電流（ＩF20）の電流値の所定倍の値±前記第１の欠相検出値裕度の範囲内の値であると出力信号を出力する第３の電流値比較回路（３７3）と、
前記第２の変流器出力電流の電流値が“０”±前記第２の欠相検出値裕度の範囲内の値であると出力信号を出力する第４の電流値比較回路（３７4）と、
前記第１および第４の電流値比較回路の両方から出力信号が出力されると前記三相回路の前記第１の相における欠相を検出する第１の欠相検出手段（３８1）と、
前記第１および第３の電流値比較回路の両方から出力信号が出力されると前記三相回路の前記第２の相における欠相を検出する第２の欠相検出手段（２８2）と、
前記第２および第３の電流値比較回路の両方から出力信号が出力されると前記三相回路の前記第３の相における欠相を検出する第３の欠相検出手段（２８3）と、
を備えることを特徴とする、請求項９または１０記載の電圧異常検出装置。
【請求項１２】
請求項１乃至請求項１１いずれかに記載の電圧異常検出装置によって前記三相回路における電圧異常が検出されると、該三相回路の各相に設置された遮断器を遮断するためのトリップ信号を生成する手段を具備することを特徴とする、電圧保護継電装置。
【発明の詳細な説明】
【技術分野】
【０００１】
本発明は、電圧異常検出装置および電圧保護継電装置に関し、特に、三相回路における過電圧、不足電圧、欠相および逆相を検出するのに好適な電圧異常検出装置および電圧保護継電装置に関する。
【背景技術】
【０００２】
従来、三相電力系統（三相回路）における電圧異常（過電圧、不足電圧、欠相および逆相など）の検出は、計器用変圧器（ＰＴ）から取り込んだ電圧要素を用いて行われている（たとえば下記の特許文献１〜３参照）。
【特許文献１】特開平８−２６５９６２号公報
【特許文献２】特開平５−１９９６４８号公報
【特許文献３】特開平６−０８６４４５号公報
【発明の開示】
【発明が解決しようとする課題】
【０００３】
しかしながら、電圧要素を用いた電圧異常の検出方法では、電線の被覆を剥ぐなどして検出回路を構成する必要があるので、検出回路の構成が複雑になるとともに作業に手間がかかるという問題があった。また、電圧要素を取り込むために高価な計器用変圧器を設置する必要があるという問題もあった。
【０００４】
本発明の目的は、回路構成を簡素化できるとともに計器用変圧器を設置する必要なく三相回路の電圧異常を検出することができる電圧異常検出装置および電圧保護継電装置を提供することにある。
【課題を解決するための手段】
【０００５】
本発明の電圧保護継電装置は、三相回路における電圧異常を検出するための電圧異常検出装置であって、電流要素のみに基づいて前記三相回路における電圧異常を検出する手段を具備することを特徴とする。
ここで、前記電流要素が、前記三相回路に設置されたサージアブソーバ（２）の第１乃至第３の相のコンデンサを接地する接地線にそれぞれ流れる第１乃至第３の相サージアブソーバ電流（ＩSR，ＩSS，ＩST）であるか、前記三相回路を構成する第１乃至第３の相電力ケーブル（７R，７S，７T）の金属シースを接地する接地線にそれぞれ流れる第１乃至第３の相シース電流（ＩsR，ＩsS，ＩsT）であってもよい。
前記第１乃至第３の相サージアブソーバ電流または前記第１乃至第３の相シース電流をそれぞれ検出するための第１乃至第３の相変流器（３R，３S，３T）からそれぞれ出力される第１乃至第３の相変流器出力電流（ＩFR，ＩFS，ＩFT）が前記電圧異常検出装置（１０）に入力され、前記電圧異常検出装置が、前記第１乃至第３の相変流器出力電流の電流値に基づいて該三相回路における過電圧および不足電圧を検出する過不足電圧検出回路（１１）と、前記第１乃至第３の相変流器出力電流の電流値に基づいて前記三相回路における欠相を検出する欠相検出回路（１２）と、前記第２の相変流器出力電流が通されるリアクトル（Ｌ）の両端の電圧（ＶL）と前記第３の相変流器出力電流が通される抵抗（Ｒ）の両端の電圧（ＶR）との差電圧に基づいて前記三相回路における逆相を検出する逆相検出回路（１３）とを具備してもよい。
また、前記電流要素が、前記三相回路に設置されたサージアブソーバ（２）の第１および第２の相のコンデンサを接地する接地線にそれぞれ流れる第１および第２の相サージアブソーバ電流（ＩSS，ＩST）であるか、前記三相回路を構成する第１および第２の相電力ケーブル（７S，７T）の金属シースを接地する接地線にそれぞれ流れる第１および第２の相シース電流（ＩsS，ＩsT）であってもよい。
前記第１および第２の相サージアブソーバ電流または前記第１および第２の相シース電流をそれぞれ検出するための第１および第２の相変流器（３S，３T）からそれぞれ出力される第１および第２の相変流器出力電流（ＩFS，ＩFT）が前記電圧異常検出装置（２０）に入力され、前記電圧異常検出装置が、前記第１および第２の相変流器出力電流の電流値に基づいて該三相回路における過電圧および不足電圧を検出する過不足電圧検出回路（２１）と、前記第１および第２の相変流器出力電流の電流値に基づいて前記三相回路における欠相を検出する欠相検出回路（２２）と、前記第１の相変流器出力電流が通されるリアクトル（Ｌ）の両端の電圧（ＶL）と前記第２の相変流器出力電流が通される抵抗（Ｒ）の両端の電圧（ＶR）との差電圧に基づいて前記三相回路における逆相を検出する逆相検出回路（２３）とを具備してもよい。
前記過不足電圧検出回路（２１）が、前記第１の相変流器出力電流に基づいて前記三相回路の前記第１の相における過電圧および不足電圧を検出する第１の相過不足電圧検出回路（２５S）と、前記第２の相変流器出力電流に基づいて前記三相回路の前記第２の相における過電圧および不足電圧を検出する第２の相過不足電圧検出回路（２５T）と、前記第１および第２の相変流器出力電流を加算する加算回路（２６）と、該加算回路から入力される前記第１および第２の相変流器出力電流の和電流に基づいて前記三相回路の第３の相における過電圧および不足電圧を検出する第３の相過不足電圧検出回路（２５R）とを備えてもよい。
前記欠相検出回路（２２）が、前記第１の相変流器出力電流の電流値が正常時の第１の相変流器出力電流（ＩFS0）の電流値の所定倍の値±第１の欠相検出値裕度（α）の範囲内の値であると出力信号を出力する第１の電流値比較回路（２７1）と、前記第１の相変流器出力電流の電流値が“０”±第２の欠相検出値裕度（β）の範囲内の値であると出力信号を出力する第２の電流値比較回路（２７2）と、前記第２の相変流器出力電流の電流値が正常時の第２の相変流器出力電流（ＩFT0）の電流値の所定倍の値±前記第１の欠相検出値裕度の範囲内の値であると出力信号を出力する第３の電流値比較回路（２７3）と、前記第２の相変流器出力電流の電流値が“０”±前記第２の欠相検出値裕度の範囲内の値であると出力信号を出力する第４の電流値比較回路（２７4）と、前記第２および第３の電流値比較回路の両方から出力信号が出力されると前記三相回路の前記第１の相における欠相を検出する第１の欠相検出手段（２８2）と、前記第２および第３の電流値比較回路の両方から出力信号が出力されると前記三相回路の前記第２の相における欠相を検出する第２の欠相検出手段（２８3）と、前記第１および第３の電流値比較回路の両方から出力信号が出力されると前記三相回路の前記第３の相における欠相を検出する第２の欠相検出手段（２８1）とを備えてもよい。
さらに、前記電流要素が、前記三相回路に設置されたサージアブソーバ（２）の第１および第２の相のコンデンサを接地する接地線にそれぞれ流れる第１および第２の相サージアブソーバ電流（ＩSR，ＩSS）の和電流と、該第２の相サージアブソーバ電流（ＩSS）および該サージアブソーバの第３の相のコンデンサを接地する接地線に流れる第３の相サージアブソーバ電流（ＩST）の和電流とであるか、前記三相回路を構成する第１および第２の相電力ケーブル（７R，７S）の金属シースを接地する接地線にそれぞれ流れる第１および第２の相シース電流（ＩsR，ＩsS）の和電流と、該第２のシース電流（ＩsS）および第３の相電力ケーブル（７T）の金属シースを接地する接地線に流れる第３の相シース電流（ＩsT）の和電流とであってもよい。
前記第１および第２の相サージアブソーバ電流の和電流または前記第１および第２の相シース電流の和電流を検出するための第１の変流器（３1）から出力される第１の変流器出力電流（ＩF1）と、前記第２および第３の相サージアブソーバ電流の和電流または前記第２および第３の相シース電流の和電流を検出するための第２の変流器（３2）から出力される第２の変流器出力電流（ＩF2）とが、前記電圧異常検出装置（３０）に入力され、前記電圧異常検出装置が、前記第１および第２の変流器出力電流の電流値に基づいて該三相回路における過電圧および不足電圧を検出する過不足電圧検出回路（３１）と、前記第１および第２の変流器出力電流の電流値に基づいて前記三相回路における欠相を検出する欠相検出回路（３２）と、前記第１の変流器出力電流が通されるリアクトル（Ｌ）の両端の電圧（ＶL）と前記第２の変流器出力電流が通される抵抗（Ｒ）の両端の電圧（ＶR）との差電圧に基づいて前記三相回路における逆相を検出する逆相検出回路（３３）とを具備してもよい。
前記過不足電圧検出回路（３１）が、前記第１の変流器出力電流に基づいて前記三相回路の前記第１の相における過電圧および不足電圧を検出する第１の相過不足電圧検出回路（３５R）と、前記第１および第２の変流器出力電流を加算する加算回路（３６）と、該加算回路から入力される前記第１および第２の変流器出力電流の和電流に基づいて前記三相回路の前記第２の相における過電圧および不足電圧を検出する第２の相過不足電圧検出回路（３５S）と、前記第２の変流器出力電流に基づいて前記三相回路の前記第３の相における過電圧および不足電圧を検出する第３の相過不足電圧検出回路（３５T）とを備えてもよい。
前記欠相検出回路（３２）が、前記第１の変流器出力電流の電流値が正常時の第１の変流器出力電流（ＩF10）の電流値の所定倍の値±第１の欠相検出値裕度（α）の範囲内の値であると出力信号を出力する第１の電流値比較回路（３７1）と、前記第１の変流器出力電流の電流値が“０”±第２の欠相検出値裕度（β）の範囲内の値であると出力信号を出力する第２の電流値比較回路（３７2）と、前記第２の変流器出力電流の電流値が正常時の第２の変流器出力電流（ＩF20）の電流値の所定倍の値±前記第１の欠相検出値裕度の範囲内の値であると出力信号を出力する第３の電流値比較回路（３７3）と、前記第２の変流器出力電流の電流値が“０”±前記第２の欠相検出値裕度の範囲内の値であると出力信号を出力する第４の電流値比較回路（３７4）と、前記第１および第４の電流値比較回路の両方から出力信号が出力されると前記三相回路の前記第１の相における欠相を検出する第１の欠相検出手段（３８1）と、前記第１および第３の電流値比較回路の両方から出力信号が出力されると前記三相回路の前記第２の相における欠相を検出する第２の欠相検出手段（２８2）と、前記第２および第３の電流値比較回路の両方から出力信号が出力されると前記三相回路の前記第３の相における欠相を検出する第３の欠相検出手段（２８3）とを備えてもよい。
本発明の電圧保護継電装置は、本発明の電圧異常検出装置によって前記三相回路における電圧異常が検出されると、該三相回路の各相に設置された遮断器を遮断するためのトリップ信号を生成する手段を具備することを特徴とする。
【発明の効果】
【０００６】
本発明の電圧異常検出装置および電圧保護継電装置は、以下に示す効果を奏する。
（１）電流要素のみを用いて電圧異常（過電圧、不足電圧、欠相および逆相）を検出することにより、回路構成を簡素化することができる。
（２）電圧要素を用いずに電圧異常（過電圧、不足電圧、欠相および逆相）を検出することができるので、高価な計器用変圧器を設置する必要がなくなる。
（３）計器用変圧器を設置する必要がないために高圧接触部をなくすことができるので、作業の安全性を向上させることができる。
【発明を実施するための最良の形態】
【０００７】
上記の目的を、三相回路に設置されたサージアブソーバの第１乃至第３の相のコンデンサを接地する接地線にそれぞれ流れる第１乃至第３の相サージアブソーバ電流または三相回路を構成する第１乃至第３の相電力ケーブルの金属シースを接地する接地線にそれぞれ流れる第１乃至第３の相シース電流のみに基づいて三相回路における過電圧、不足電圧、欠相および逆相を検出することにより実現した。
【実施例１】
【０００８】
以下、本発明の電圧異常検出装置および電圧保護継電装置の実施例について図面を参照して説明する。
本発明の第１の実施例による電圧異常検出装置１０は、図１に示すように、変圧器１の２次側に設置されたサージアブソーバ（ＳＡ）２のＲ相、Ｓ相およびＴ相のコンデンサを接地する接地線（以下、「Ｒ相、Ｓ相およびＴ相接地線」と称する。）にそれぞれ設置されたＲ相、Ｓ相およびＴ相変流器３R，３S，３Tの２次側からそれぞれ入力されるＲ相、Ｓ相およびＴ相変流器出力電流ＩFR，ＩFS，ＩFTに基づいて電圧異常（過電圧、不足電圧、欠相および逆相）を検出するためのものであり、過不足電圧検出回路１１と、欠相検出回路１２と、逆相検出回路１３と、減算回路１４と、リアクトルＬと、抵抗Ｒとを具備する。
【０００９】
ここで、Ｒ相、Ｓ相およびＴ相変流器３R，３S，３Tは、サージアブソーバ２のＲ相、Ｓ相およびＴ相接地線にそれぞれ流れるＲ相、Ｓ相およびＴ相サージアブソーバ電流ＩSR，ＩSS，ＩSTを検出して、電流要素として電圧異常検出装置１０に取り込むためのものである。
【００１０】
過不足電圧検出回路１１は、Ｒ相変流器３Rから入力されるＲ相変流器出力電流ＩFRの電流値とＲ相過電圧検出設定値ＶRlおよびＲ相不足電圧検出設定値ＶRsとを比較して、Ｒ相変流器出力電流ＩFRの電流値がＲ相過電圧検出設定値ＶRl以上であると、「Ｒ相電圧について過電圧を検出した」旨を示す過不足電圧検出信号を外部に出力し、また、Ｒ相変流器出力電流ＩFRの電流値がＲ相不足電圧検出設定値ＶRs以下であると、「Ｒ相電圧について不足電圧を検出した」旨を示す過不足電圧検出信号を外部に出力する。
また、過不足電圧検出回路１１は、Ｓ相変流器３SからリアクトルＬを介して入力されるＳ相変流器出力電流ＩFSの電流値とＳ相過電圧検出設定値ＶSlおよびＳ相不足電圧検出設定値ＶSsとを比較して、Ｓ相変流器出力電流ＩFSの電流値がＳ相過電圧検出設定値ＶSl以上であると、「Ｓ相電圧について過電圧を検出した」旨を示す過不足電圧検出信号を外部に出力し、また、Ｓ相変流器出力電流ＩFSの電流値がＳ相不足電圧検出設定値ＶSs以下であると、「Ｓ相電圧について不足電圧を検出した」旨を示す過不足電圧検出信号を外部に出力する。
さらに、過不足電圧検出回路１１は、Ｔ相変流器３Tから抵抗Ｒを介して入力されるＴ相変流器出力電流ＩFTの電流値とＴ相過電圧検出設定値ＶTlおよびＴ相不足電圧検出設定値ＶTsとを比較して、Ｔ相変流器出力電流ＩFTの電流値がＴ相過電圧検出設定値ＶTl以上であると、「Ｔ相電圧について過電圧を検出した」旨を示す過不足電圧検出信号を外部に出力し、また、Ｔ相変流器出力電流ＩFTの電流値がＴ相不足電圧検出設定値ＶTs以下であると、「Ｔ相電圧について不足電圧を検出した」旨を示す過不足電圧検出信号を外部に出力する。
【００１１】
欠相検出回路１２は、Ｒ相変流器３Rから入力されるＲ相変流器出力電流ＩFRの電流値が０±β（βは欠相検出値裕度）の範囲内の値であると、「Ｒ相欠相を検出した」旨を示す欠相検出信号を外部に出力する。
また、欠相検出回路１２は、Ｓ相変流器３SからリアクトルＬを介して入力されるＳ相変流器出力電流ＩFSの電流値が０±β（βは欠相検出値裕度）の範囲内の値であると、「Ｓ相欠相を検出した」旨を示す欠相検出信号を外部に出力する。
さらに、欠相検出回路１２は、Ｔ相変流器３Tから抵抗Ｒを介して入力されるＴ相変流器出力電流ＩFTの電流値が０±β（βは欠相検出値裕度）の範囲内の値になると、「Ｔ相欠相を検出した」旨を示す欠相検出信号を外部に出力する。
【００１２】
減算回路１４は、リアクトルＬの両端の電圧ＶLと抵抗Ｒの両端の電圧ＶRとの差電圧ＶL−ＶRを求めるためのものである。
逆相検出回路１３は、正相時には電圧ＶLと電圧ＶRとの差電圧ＶL−ＶRの電圧値は図２（ａ）に示すように逆相電圧設定値Ｖprよりも大きくなるが、Ｓ相電圧とＴ相電圧とが逆相になった場合には電圧ＶLと電圧ＶRとの差電圧ＶL−ＶRの電圧値は図２（ｂ）に示すように逆相電圧設定値Ｖpr以下となるので、電圧ＶLと電圧ＶRとの差電圧ＶL−ＶRの電圧値（＝｜ＶL−ＶR｜）と逆相電圧設定値Ｖprとを比較し、差電圧ＶL−ＶRの電圧値が逆相電圧設定値Ｖpr以下であると、「逆相を検出した」旨を示す逆相検出信号を外部に出力する。
【実施例２】
【００１３】
次に、本発明の第２の実施例による電圧異常検出装置について図３乃至図７を参照して説明する。
本実施例による電圧異常検出装置２０は、図３に示すように、変圧器１の２次側に設置されたサージアブソーバ２のＳ相およびＴ相のコンデンサを接地する接地線（Ｓ相およびＴ相接地線）にそれぞれ設置されたＳ相およびＴ相変流器３S，３Tの２次側からそれぞれ入力されるＳ相およびＴ相サージアブソーバ電流ＩFS，ＩFTに基づいて電圧異常（過電圧、不足電圧、欠相および逆相）を検出するためのものであり、過不足電圧検出回路２１と、欠相検出回路２２と、逆相検出回路２３と、減算回路２４と、リアクトルＬと、抵抗Ｒとを具備する。
【００１４】
ここで、Ｓ相およびＴ相変流器３S，３Tは、サージアブソーバ２のＳ相およびＴ相接地線にそれぞれ流れるＳ相およびＴ相サージアブソーバ電流ＩSS，ＩSTを検出して、電流要素として電圧異常検出装置２０に取り込むためのものである。
【００１５】
過不足電圧検出回路２１は、図４に示すように、Ｒ相過不足電圧検出回路２５Rと、Ｓ相過不足電圧検出回路２５Sと、Ｔ相過不足電圧検出回路２５Tと、加算回路２６とを備える。
【００１６】
加算回路２６は、Ｓ相変流器３SからリアクトルＬを介して入力されるＳ相変流器出力電流ＩFSとＴ相変流器３Tから抵抗Ｒを介して入力されるＴ相変流器出力電流ＩFTとを加算して、Ｓ相変流器出力電流ＩFSとＴ相変流器出力電流ＩFTとの和電流ＩFS＋ＩFTを求めるためのものである。
なお、図５に示すようにＳ相サージアブソーバ電流ＩSSとＴ相サージアブソーバ電流ＩSTとの和電流ＩSS＋ＩSTはＲ相サージアブソーバ電流ＩSRの極性を反転したものとなるため、Ｓ相変流器出力電流ＩFSとＴ相変流器出力電流ＩFTとを加算した和電流ＩFS＋ＩFTの電流値を求めることによりＲ相サージアブソーバ電流ＩSRの電流値が分かる。
【００１７】
Ｒ相過不足電圧検出回路２５Rは、加算回路２６から入力されるＳ相変流器出力電流ＩFSとＴ相変流器出力電流ＩFTとの和電流ＩFS＋ＩFTの電流値とＲ相過電圧検出設定値ＶRlおよびＲ相不足電圧検出設定値ＶRsとを比較して、和電流ＩFS＋ＩFTの電流値がＲ相過電圧検出設定値ＶRl以上であると、「Ｒ相電圧について過電圧を検出した」旨を示す過不足電圧検出信号を出力し、また、和電流ＩFS＋ＩFTの電流値がＲ相不足電圧検出設定値ＶRs以下であると、「Ｒ相電圧について不足電圧を検出した」旨を示す過不足電圧検出信号を出力する。
【００１８】
Ｓ相過不足電圧検出回路２５Sは、Ｓ相変流器３SからリアクトルＬを介して入力されるＳ相変流器出力電流ＩFSの電流値とＳ相過電圧検出設定値ＶSlおよびＳ相不足電圧検出設定値ＶSsとを比較して、Ｓ相変流器出力電流ＩFSの電流値がＳ相過電圧検出設定値ＶSl以上であると、「Ｓ相電圧について過電圧を検出した」旨を示す過不足電圧検出信号を出力し、また、Ｓ相変流器出力電流ＩFSの電流値がＳ相不足電圧検出設定値ＶSs以下であると、「Ｓ相電圧について不足電圧を検出した」旨を示す過不足電圧検出信号を出力する。
【００１９】
Ｔ相過不足電圧検出回路２５Tは、Ｔ相変流器３Tから抵抗Ｒを介して入力されるＴ相変流器出力電流ＩFTの電流値とＴ相過電圧検出設定値ＶTlおよびＴ相不足電圧検出設定値ＶTsとを比較して、Ｔ相変流器出力電流ＩFTの電流値がＴ相過電圧検出設定値ＶTl以上であると、「Ｔ相電圧について過電圧を検出した」旨を示す過不足電圧検出信号を出力し、また、Ｔ相変流器出力電流ＩFTの電流値がＴ相不足電圧検出設定値ＶTs以下であると、「Ｔ相電圧について不足電圧を検出した」旨を示す過不足電圧検出信号を出力する。
【００２０】
欠相検出回路２２は、図６に示すように、第１乃至第４の電流値比較回路２７1〜２７4と、第１乃至第３の論理積回路２８1〜２８3とを備える。
【００２１】
ここで、第１の電流値比較回路２７1は、Ｓ相変流器３SからリアクトルＬを介して入力されるＳ相変流器出力電流ＩFSの電流値が正常時のＳ相変流器出力電流ＩFS0の３1/2／２倍±α（αは欠相検出値裕度）の範囲内の値であると、ハイレベルの出力信号を出力する。
第２の電流値比較回路２７2は、Ｓ相変流器３SからリアクトルＬを介して入力されるＳ相変流器出力電流ＩFSの電流値が０±β（βは欠相検出値裕度）の範囲内の値であると、ハイレベルの出力信号を出力する。
第３の電流値比較回路２７3は、Ｔ相変流器３Tから抵抗Ｒを介して入力されるＴ相変流器出力電流ＩFTの電流値が正常時のＴ相変流器出力電流ＩFT0の電流値の３1/2／２倍±αの範囲内の値であると、ハイレベルの出力信号を出力する。
第４の電流値比較回路２７4は、Ｔ相変流器３Tから抵抗Ｒを介して入力されるＴ相変流器出力電流ＩFTの電流値が０±βの範囲内の値であると、ハイレベルの出力信号を出力する。
【００２２】
第１の論理積回路２８1は、第１の電流値比較回路２７1の出力信号と第３の電流値比較回路２７3の出力信号との論理積をとることにより、Ｒ相欠相が生じたか否かを検出するためのものである。
すなわち、Ｒ相欠相時には、図７（ａ）に示すように、Ｓ相変流器３SからリアクトルＬを介して入力されるＳ相変流器出力電流ＩFSの電流値およびＴ相変流器３Tから抵抗Ｒを介して入力されるＴ相変流器出力電流ＩFTの電流値は、正常時のＳ相変流器出力電流ＩFS0（正常時のＳ相サージアブソーバ電流ＩSS）および正常時のＳ相変流器出力電流ＩFT0（正常時のＴ相サージアブソーバ電流ＩST）の電流値の３1/2／２倍となる。したがって、第１および第３の電流値比較回路２７1，２７3の出力信号が共にハイレベルのときにはＲ相欠相が生じたと判定する。
【００２３】
第２の論理積回路２８2は、第２の電流値比較回路２７2の出力信号と第３の電流値比較回路２７3の出力信号との論理積をとることにより、Ｓ相欠相が生じたか否かを検出するためのものである。
すなわち、Ｓ相欠相時には、図７（ｂ）に示すように、Ｓ相変流器３SからリアクトルＬを介して入力されるＳ相変流器出力電流ＩFSの電流値は“０”となり、Ｔ相変流器３Tから抵抗Ｒを介して入力されるＴ相変流器出力電流ＩFTの電流値は正常時のＴ相変流器出力電流ＩFT0（正常時のＴ相サージアブソーバ電流ＩST）の電流値の３1/2／２倍となる。したがって、第２および第３の電流値比較回路２７1，２７3の出力信号が共にハイレベルのときにはＳ相欠相が生じたと判定する。
【００２４】
第３の論理積回路２８3は、第１の電流値比較回路２７1の出力信号と第４の電流値比較回路２７4の出力信号との論理積をとることにより、Ｔ相欠相が生じたか否かを検出するためのものである。
すなわち、Ｔ相欠相時には、図７（ｃ）に示すように、Ｓ相変流器３SからリアクトルＬを介して入力されるＳ相変流器出力電流ＩFSの電流値は正常時のＳ相変流器出力電流ＩFS0（正常時のＳ相サージアブソーバ電流ＩSS）の電流値の３1/2／２倍となり、Ｔ相変流器３Tから抵抗Ｒを介して入力されるＴ相変流器出力電流ＩFTの電流値は“０”となる。したがって、第１および第４の電流値比較回路２７1，２７4の出力信号が共にハイレベルのときにはＴ相欠相が生じたと判定する。
【００２５】
減算回路２４は、リアクトルＬの両端の電圧ＶLと抵抗Ｒの両端の電圧ＶRとの差電圧ＶL−ＶRを求めるためのものである。
【００２６】
逆相検出回路２３は、正相時には電圧ＶLと電圧ＶRとの差電圧ＶL−ＶRの電圧値は図２（ａ）に示したように逆相電圧設定値Ｖprよりも大きくなるが、Ｓ相電圧とＴ相電圧とが逆相になった場合には電圧ＶLと電圧ＶRとの差電圧ＶL−ＶRの電圧値は図２（ｂ）に示したように逆相電圧設定値Ｖpr以下となるので、電圧ＶLと電圧ＶRとの差電圧ＶL−ＶRの電圧値（＝｜ＶL−ＶR｜）と逆相電圧設定値Ｖprとを比較し、差電圧ＶL−ＶRの電圧値が逆相電圧設定値Ｖpr以下であると、「逆相を検出した」旨を示す逆相検出信号を出力する。
【実施例３】
【００２７】
次に、本発明の第３の実施例による電圧異常検出装置について図８乃至図１２を参照して説明する。
本実施例による電圧異常検出装置３０は、図８に示すように、変圧器１の２次側に設置されたサージアブソーバ２のＲ相およびＳ相のコンデンサを接地する接地線（Ｒ相およびＳ相接地線）に設置された第１の変流器３1の２次側から入力される第１の変流器出力電流ＩF1およびサージアブソーバ２のＳ相およびＴ相のコンデンサを接地する接地線（Ｓ相およびＴ相接地線）に設置された第２の変流器３2の２次側から入力される第２の変流器出力電流ＩF2に基づいて電圧異常（過電圧、不足電圧、欠相および逆相）を検出するためのものであり、過不足電圧検出回路３１と、欠相検出回路３２と、逆相検出回路３３と、減算回路３４と、リアクトルＬと、抵抗Ｒとを具備する。
【００２８】
ここで、第１の変流器３1は、サージアブソーバ２のＲ相およびＳ相接地線にそれぞれ流れるＲ相およびＳ相サージアブソーバ電流ＩSR，ＩSSの和電流ＩSR＋ＩSSを検出して、電流要素として電圧異常検出装置３０に取り込むためのものである。
第２の変流器３2は、サージアブソーバ２のＳ相およびＴ相接地線にそれぞれ流れるＳ相およびＴ相サージアブソーバ電流ＩSS，ＩSTの和電流ＩSS＋ＩSTを検出して、電流要素として電圧異常検出装置３０に取り込むためのものである。
【００２９】
過不足電圧検出回路３１は、図９に示すように、Ｒ相過不足電圧検出回路３５Rと、Ｓ相過不足電圧検出回路３５Sと、Ｔ相過不足電圧検出回路３５Tと、加算回路３６とを備える。
【００３０】
加算回路３６は、第１の変流器３1からリアクトルＬを介して入力される第１の変流器出力電流ＩF1と第２の変流器３2から抵抗Ｒを介して入力される第２の変流器出力電流ＩF2とを加算して、Ｓ相サージアブソーバ電流ＩSSを求めるためのものである。
すなわち、図１０に示すように、第１の変流器３1から出力される第１の変流器出力電流ＩF1はＲ相サージアブソーバ電流ＩSRとＳ相サージアブソーバ電流ＩSSとのベクトル和となり、第２の変流器３2から出力される第２の変流器出力電流ＩF2はＳ相サージアブソーバ電流ＩSSとＴ相サージアブソーバ電流ＩSTとのベクトル和となる。そのため、第１および第２の変流器出力電流ＩF1，ＩF2を加算回路３６で加算することにより、Ｓ相サージアブソーバ電流ＩSSが得られる。
【００３１】
Ｒ相過不足電圧検出回路３５Rは、第１の変流器３1からリアクトルＬを介して入力される第１の変流器出力電流ＩF1とＲ相過電圧検出設定値ＶRlおよびＲ相不足電圧検出設定値ＶRsとを比較して、第１の変流器出力電流ＩF1の電流値がＲ相過電圧検出設定値ＶRl以上であると、「Ｒ相電圧について過電圧を検出した」旨を示す過不足電圧検出信号を出力し、また、第１の変流器出力電流ＩF1の電流値がＲ相不足電圧検出設定値ＶRs以下であると、「Ｒ相電圧について不足電圧を検出した」旨を示す過不足電圧検出信号を出力する。
なお、次式で示すように、第１の変流器出力電流ＩF1はＲ相サージアブソーバ電流ＩSRとＳ相サージアブソーバ電流ＩSSとのベクトル和となるため、第１の変流器出力電流ＩF1の電流値はＲ相のサージアブソーバ電流ＩSR（Ｓ相サージアブソーバ電流ＩSS）の電流値と等しくなる（図１０参照）。
ＩF1＝ＩSR＋ＩSS
｜ＩF1｜＝｜ＩSR＋ＩSS｜＝｜ＩSR｜（＝｜ＩSS｜）
【００３２】
Ｓ相過不足電圧検出回路３５Sは、加算回路３６から入力される電流（Ｓ相サージアブソーバ電流ＩSSに相当）の電流値とＳ相過電圧検出設定値ＶSlおよびＳ相不足電圧検出設定値ＶSsとを比較して、この電流の電流値がＳ相過電圧検出設定値ＶSl以上であると、「Ｓ相電圧について過電圧を検出した」旨を示す過不足電圧検出信号を出力し、また、この電流の電流値がＳ相不足電圧検出設定値ＶSs以下であると、「Ｓ相電圧について不足電圧を検出した」旨を示す過不足電圧検出信号を出力する。
【００３３】
Ｔ相過不足電圧検出回路３５Tは、第２の変流器３2から抵抗Ｒを介して入力される第２の変流器出力電流ＩF2の電流値とＴ相過電圧検出設定値ＶTlおよびＴ相不足電圧検出設定値ＶTsとを比較して、第２の変流器出力電流ＩF2の電流値がＴ相過電圧検出設定値ＶTl以上であると、「Ｔ相電圧について過電圧を検出した」旨を示す過不足電圧検出信号を出力し、また、Ｔ相変流器出力電流ＩFTの電流値がＴ相不足電圧検出設定値ＶTs以下であると、「Ｔ相電圧について不足電圧を検出した」旨を示す過不足電圧検出信号を出力する。
なお、次式で示すように、第２の変流器出力電流ＩF2はＳ相サージアブソーバ電流ＩSSとＴ相サージアブソーバ電流ＩSTとのベクトル和となるため、第２の変流器出力電流ＩF2の電流値はＴ相のサージアブソーバ電流ＩST（Ｓ相サージアブソーバ電流ＩSS）の電流値と等しくなる。
ＩF2＝ＩSS＋ＩST
｜ＩF2｜＝｜ＩSS＋ＩST｜＝｜ＩST｜（＝｜ＩSS｜）
【００３４】
欠相検出回路３２は、図１１に示すように、第１乃至第４の電流値比較回路３７1〜３７4と、第１乃至第３の論理積回路３８1〜３８3とを備える。
【００３５】
ここで、第１の電流値比較回路３７1は、第１の変流器３1からリアクトルＬを介して入力される第１の変流器出力電流ＩF1の電流値が正常時の第１の変流器出力電流ＩF10の３1/2／２倍±α（αは欠相検出値裕度）の範囲内の値であると、ハイレベルの出力信号を出力する。
第２の電流値比較回路３７2は、第１の変流器３1からリアクトルＬを介して入力される第１の変流器出力電流ＩF1の電流値が０±β（βは欠相検出値裕度）の範囲内の値であると、ハイレベルの出力信号を出力する。
第３の電流値比較回路３７3は、第２の変流器３2から抵抗Ｒを介して入力される第２の変流器出力電流ＩF2の電流値が正常時の第２の変流器出力電流ＩF20の電流値の３1/2／２倍±αの範囲内の値であると、ハイレベルの出力信号を出力する。
第４の電流値比較回路３７4は、第２の変流器３2から抵抗Ｒを介して入力される第２の変流器出力電流ＩF2の電流値が０±β（βは欠相検出値裕度）の範囲内の値であると、ハイレベルの出力信号を出力する。
【００３６】
第１の論理積回路３８1は、第１の電流値比較回路３７1の出力信号と第４の電流値比較回路３７4の出力信号との論理積をとることにより、Ｒ相欠相が生じたか否かを検出するためのものである。
すなわち、Ｒ相欠相時には、Ｓ相サージアブソーバ電流ＩSSとＴ相サージアブソーバ電流ＩSTとがサージアブソーバ２のＳ相およびＴ相接地線に逆方向にそれぞれ流れるが、サージアブソーバ２のＲ相接地線にはＲ相サージアブソーバ電流ＩSRが流れない（図１２（ａ）参照）。
その結果、第１の変流器３1から出力される第１の変流器出力電流ＩF1は次式で示すようにＳ相サージアブソーバ電流ＩSSとなるため、第１の変流器出力電流ＩF1の電流値は次式で示すように正常時の第１の変流器出力電流ＩF10の電流値３1/2／２倍となる（図１２（ａ−１）参照）。
ＩF1＝ＩSS
｜ＩF1｜＝｜ＩSS｜＝３1/2／２×ＩF10
また、第２の変流器３2から出力される第２の変流器出力電流ＩF2は次式で示すように“０”となる。
ＩF2＝ＩSS＋ＩST＝０
したがって、第１および第４の電流値比較回路３７1，３７4の出力信号が共にハイレベルのときにはＲ相欠相が生じたと判定する。
【００３７】
第２の論理積回路３８2は、第１の電流値比較回路３７1の出力信号と第３の電流値比較回路３７3の出力信号との論理積をとることにより、Ｓ相欠相が生じたか否かを検出するためのものである。
すなわち、Ｓ相欠相時には、Ｒ相サージアブソーバ電流ＩSRとＴ相サージアブソーバ電流ＩSTとがサージアブソーバ２のＲ相およびＴ相接地線に逆方向にそれぞれ流れるが、サージアブソーバ２のＳ相接地線にはＳ相サージアブソーバ電流ＩSSが流れない（図１２（ｂ）参照）。
その結果、第１の変流器３1から出力される第１の変流器出力電流ＩF1は次式で示すようにＲ相サージアブソーバ電流ＩSRとなるため、第１の変流器出力電流ＩF1の電流値は次式で示すように正常時の第１の変流器出力電流ＩF10の電流値３1/2／２倍となる（図１２（ｂ−１）参照）。
ＩF1＝ＩSR
｜ＩF1｜＝｜ＩSR｜＝３1/2／２×ＩF10
また、第２の変流器３2から出力される第２の変流器出力電流ＩF2は次式で示すようにＳ相サージアブソーバ電流ＩSSとなるため、第２の変流器出力電流ＩF2の電流値は次式で示すように正常時の第２の変流器出力電流ＩF20の電流値３1/2／２倍となる（図１２（ｂ−２）参照）。
ＩF2＝ＩSS
｜ＩF2｜＝｜ＩSS｜＝３1/2／２×ＩF20
したがって、第１および第３の電流値比較回路３７1，３７3の出力信号が共にハイレベルのときにはＳ相欠相が生じたと判定する。
【００３８】
第３の論理積回路３８3は、第２の電流値比較回路３７2の出力信号と第３の電流値比較回路３７3の出力信号との論理積をとることにより、Ｔ相欠相が生じたか否かを検出するためのものである。
すなわち、Ｔ相欠相時には、Ｒ相サージアブソーバ電流ＩSRとＳ相サージアブソーバ電流ＩSSとがサージアブソーバ２のＲ相およびＳ相接地線に逆方向にそれぞれ流れるが、サージアブソーバ２のＴ相接地線にはＴ相サージアブソーバ電流ＩSTが流れない（図１２（ｃ）参照）。
その結果、第１の変流器３1から出力される第１の変流器出力電流ＩF1は次式で示すように“０”となる（図１２（ｃ−１）参照）。
ＩF1＝ＩSR＋ＩST＝０
また、第２の変流器３2から出力される第２の変流器出力電流ＩF2は次式で示すようにＳ相サージアブソーバ電流ＩSSとなるため、第２の変流器出力電流ＩF2の電流値は次式で示すように正常時の第２の変流器出力電流ＩF20の電流値３1/2／２倍となる（図１２（ｃ−２）参照）。
ＩF2＝ＩSS
｜ＩF2｜＝｜ＩSS｜＝３1/2／２×ＩF20
したがって、第２および第３の電流値比較回路３７2，３７3の出力信号が共にハイレベルのときにはＴ相欠相が生じたと判定する。
【００３９】
減算回路３４は、リアクトルＬの両端の電圧ＶLと抵抗Ｒの両端の電圧ＶRとの差電圧ＶL−ＶRを求めるためのものである。
【００４０】
逆相検出回路３３は、正相時には電圧ＶLと電圧ＶRとの差電圧ＶL−ＶRの電圧値は図２（ａ）に示したように逆相電圧設定値Ｖprよりも大きくなるが、Ｓ相電圧とＴ相電圧とが逆相になった場合には電圧ＶLと電圧ＶRとの差電圧ＶL−ＶRの電圧値は図２（ｂ）に示したように逆相電圧設定値Ｖpr以下となるので、電圧ＶLと電圧ＶRとの差電圧ＶL−ＶRの電圧値（＝｜ＶL−ＶR｜）と逆相電圧設定値Ｖprとを比較し、差電圧ＶL−ＶRの電圧値が逆相電圧設定値Ｖpr以下であると、「逆相を検出した」旨を示す逆相検出信号を出力する。
【００４１】
以上説明したように、第１乃至第３の実施例による電圧異常検出装置１０，２０，３０では、電圧要素を用いることなく電流要素のみで過電圧、不足電圧、欠相および逆相を検出することができる。
【００４２】
以上の説明では、電流要素としてサージアブソーバ２のＲ相、Ｓ相およびＴ相接地線をそれぞれ流れるＲ相、Ｓ相およびＴ相サージアブソーバ電流ＩSR，ＩSS，ＩSTを用いたが、図１３乃至図１５に示すように三相回路を構成するＲ相、Ｓ相およびＴ相電力ケーブル７R，７S，７Tの金属シースを接地する接地線にそれぞれ流れるＲ相、Ｓ相およびＴ相シース電流ＩsR，ＩsS，ＩsTを用いてもよい。この場合にも、電圧異常検出装置１０，２０，３０が上述したように動作することにより、電圧要素を用いることなく電流要素のみで過電圧、不足電圧、欠相および逆相を検出することができる。
【００４３】
また、上述した電圧異常検出装置１０，２０，３０から出力される過不足電圧検出信号、欠相検出信号および逆相検出信号に基づいて、たとえば送配電線（三相回路）のＲ相、Ｓ相およびＴ相にそれぞれ設置された第１乃至第３の遮断器を一括遮断するトリップ信号を生成する回路を付加することにより、電圧保護継電装置を構成することができる。
【図面の簡単な説明】
【００４４】
【図１】本発明の第１の実施例による電圧異常検出装置１０の構成を示す図である。
【図２】図１に示した逆相検出回路１３の動作について説明するための図である。
【図３】本発明の第２の実施例による電圧異常検出装置２０の構成を示す図である。
【図４】図３に示した過不足電圧検出回路２１の構成を示すブロック図である。
【図５】図４に示した加算回路２６でＳ相変流器出力電流ＩFSとＴ相変流器出力電流ＩFTとを加算することによりＲ相サージアブソーバ電流ＩSRの電流値を求めることができることを説明するための図である。
【図６】図３に示した欠相検出回路２２の構成を示すブロック図である。
【図７】図６に示した第１乃至第３の論理積回路２８1〜２８3の機能について説明するための図である。
【図８】本発明の第３の実施例による電圧異常検出装置３０の構成を示す図である。
【図９】図８に示した過不足電圧検出回路３１の構成を示すブロック図である。
【図１０】図９に示した加算回路３６で第１の変流器出力電流ＩF1と第２の変流器出力電流ＩF2とを加算することによりＳ相サージアブソーバ電流ＩSSの電流値を求めることができることを説明するための図である。
【図１１】図８に示した欠相検出回路３２の構成を示すブロック図である。
【図１２】図１１に示した第１乃至第３の論理積回路３８1〜３８3の機能について説明するための図である。
【図１３】電流要素としてＲ相、Ｓ相およびＴ相サージアブソーバ電流ＩSR，ＩSS，ＩSTの代わりに、Ｒ相、Ｓ相およびＴ相電力ケーブル７R，７S，７Tの金属シースを接地する接地線にそれぞれ流れるＲ相、Ｓ相およびＴ相シース電流ＩsR，ＩsS，ＩsTを用いた変形例について説明するための図である。
【図１４】電流要素としてＲ相、Ｓ相およびＴ相サージアブソーバ電流ＩSR，ＩSS，ＩSTの代わりに、Ｒ相、Ｓ相およびＴ相電力ケーブル７R，７S，７Tの金属シースを接地する接地線にそれぞれ流れるＲ相、Ｓ相およびＴ相シース電流ＩsR，ＩsS，ＩsTを用いた変形例について説明するための図である。
【図１５】電流要素としてＲ相、Ｓ相およびＴ相サージアブソーバ電流ＩSR，ＩSS，ＩSTの代わりに、Ｒ相、Ｓ相およびＴ相電力ケーブル７R，７S，７Tの金属シースを接地する接地線にそれぞれ流れるＲ相、Ｓ相およびＴ相シース電流ＩsR，ＩsS，ＩsTを用いた変形例について説明するための図である。
【符号の説明】
【００４５】
１  変圧器
２  サージアブソーバ
３R，３S，３T  Ｒ相、Ｓ相およびＴ相変流器
３1，３2  第１および第２の変流器
７R，７S，７T  Ｒ相、Ｓ相およびＴ相電力ケーブル
１０，２０，３０  電圧異常検出装置
１１，２１，３１  過不足電圧検出回路
１２，２２，３２  欠相検出回路
１３，２３，３３  逆相検出回路
１４，２４，３４  減算回路
２５R，２５S，２５T，３５R，３５S，３５T  Ｒ相、Ｓ相およびＴ相過不足電圧検出回路
２６，３６  加算回路
２７1〜２７4，３７1〜３７4  第１乃至第４の電流値比較回路
２８1〜２８3，３８1〜３８3  第１乃至第３の論理積回路
Ｌ  リアクトル
Ｒ  抵抗
ＩSR，ＩSS，ＩST  Ｒ相、Ｓ相およびＴ相サージアブソーバ電流
ＩFR，ＩFS，ＩFT  Ｒ相、Ｓ相およびＴ相変流器出力電流
ＩFS0，ＩFT0  正常時のＳ相およびＴ相変流器出力電流
ＩF1，ＩF2  第１および第２の変流器出力電流
ＩF10，ＩF20  正常時の第１および第２の変流器出力電流
ＩsR，ＩsS，ＩsT  Ｒ相、Ｓ相およびＴ相シース電流
ＶL，ＶR  電圧
ＶRl，ＶSl，ＶTl  Ｒ相、Ｓ相およびＴ相過電圧検出設定値
ＶRs，ＶSs，ＶTs  Ｒ相、Ｓ相およびＴ相不足電圧検出設定値
Ｖpr  逆相電圧設定値
α，β  欠相検出値裕度
【図１】
2009198442.tif 000003
【図２】
2009198442.tif 000004
【図３】
2009198442.tif 000005
【図４】
2009198442.tif 000006
【図５】
2009198442.tif 000007
【図６】
2009198442.tif 000008
【図７】
2009198442.tif 000009
【図８】
2009198442.tif 000010
【図９】
2009198442.tif 000011
【図１０】
2009198442.tif 000012
【図１１】
2009198442.tif 000013
【図１２】
2009198442.tif 000014
【図１３】
2009198442.tif 000015
【図１４】
2009198442.tif 000016
【図１５】
2009198442.tif 000017